(57)【要約】【課題】ヒートポンプユニットの成績係数の低下を抑制させつつ、ユーザの望む水温と水量の状態の浴槽に近づけることが可能な貯湯式給湯装置を提供する。【解決手段】  貯湯式給湯装置１００であって、給水給湯回路５０、風呂水位センサ６１Ｐ、および、コントローラ１０を備えている。給水給湯回路５０は、貯湯タンク３５の温水を温度調節して浴槽７０に供給する。コントローラ１０は、足し湯制御、および、高温足し湯制御を行う。足し湯制御では、放熱しにくい状況よりも放熱しやすい状況の方が低い値になるようにして定められている給温水判定値以下の値を風呂水位センサ６１Ｐが検出した場合に給水給湯回路５０による浴槽７０への温水の供給を行って浴槽７０の温水の水位を上げる。高温足し湯制御では、給水給湯回路５０による浴槽７０への設定温度より高温の温水を供給することで浴槽７０の温度を上昇させる。【選択図】図３
2011033272.tif 000002
【特許請求の範囲】
【請求項１】
ヒートポンプユニット（１）によって加熱して得られる温水を貯湯タンク（３５）に貯留する貯湯式給湯装置（１００）であって、
前記貯湯タンク（３５）の温水を温度調節して浴槽（７０）に供給する温水供給部（５０）と、
前記浴槽（７０）の温水の水位もしくは水量の少なくともいずれか一方を検出する浴槽水量検出部（６１Ｐ）と、
放熱しにくい状況よりも放熱しやすい状況の方が低い値になるように給温水判定値を定め、前記浴槽水量検出部（６１Ｐ）が前記給温水判定値以下の値を検出した場合に前記温水供給部（５０）による前記浴槽（７０）への温水の供給を行って前記浴槽（７０）の温水の水位もしくは水量を増加させる足し湯制御と、前記温水供給部（５０）による前記浴槽への高温追加水の供給により前記浴槽（７０）の温度を上昇させる高温足し湯制御と、を行う制御部（１０）と、
を備えた貯湯式給湯装置（１００）。
【請求項２】
前記浴槽（７０）の水の放熱量もしくは前記放熱量に関する情報を把握する放熱把握部（２３Ｔ、８２Ｔ、６１Ｔ）をさらに備え、
前記制御部（１０）は、前記放熱把握部（２３Ｔ、８２Ｔ、６１Ｔ）が把握した値もしくは情報に基づいて前記給温水判定値を定める、
請求項１記載の貯湯式給湯装置（１００）。
【請求項３】
前記放熱把握部（２３Ｔ、８２Ｔ、６１Ｔ）は、外気温度情報、外部から供給される水の給水温度情報、カレンダー情報の少なくともいずれか１つを把握する、
請求項２に記載の貯湯式給湯装置（１００）。
【請求項４】
前記貯湯タンク（３５）の温水と前記浴槽（７０）の温水とを熱交換させることで前記浴槽（７０）の温水の温度を上昇させる追焚き熱交換部（５）をさらに備え、
前記制御部（１０）は、前記追焚き熱交換部（５）による前記貯湯タンク（３５）の温水と前記浴槽（７０）の温水との熱交換により前記浴槽（７０）の温水の温度を上昇させる追焚き制御を行い、
前記浴槽水量検出部（６１Ｐ）が検出する値に基づいて、前記高温足し湯制御および前記追焚き制御のいずれかを優先して行う、
請求項１から３のいずれか１項に記載の貯湯式給湯装置（１００）。
【請求項５】
前記浴槽（７０）の設定水位もしくは設定水量を受け付ける浴槽設定水量受付部（１０Ｐ）と、
前記浴槽（７０）の設定温度を受け付ける浴槽設定温度受付部（１０Ｔ）と、
をさらに備え、
前記高温足し湯制御は、所定量の前記高温追加水を前記浴槽（７０）に追加することで行われ、
前記制御部（１０）は、前記浴槽（７０）の温水の温度が前記設定温度になること、および前記浴槽（７０）の温水の水位もしくは水量が前記設定水位もしくは水量またはその近傍の水位もしくは水量になること、のいずれか一方の条件を満たすまで前記高温足し湯制御を行う、
請求項４に記載の貯湯式給湯装置（１００）。
【請求項６】
前記浴槽（７０）の設定水位もしくは設定水量を受け付ける浴槽設定水量受付部（１０Ｐ）をさらに備え、
前記制御部（１０）は、前記給温水判定値を、前記浴槽設定水量受付部（１０Ｐ）が受け付けた値、および、前記浴槽（７０）に溜められる最大水位もしくは最大水量、の少なくともいずれか１つに基づいて定める、
請求項１から４のいずれか１項に記載の貯湯式給湯装置（１００）。
【請求項７】
前記浴槽（７０）の設定温度を受け付ける浴槽設定温度受付部（１０Ｔ）をさらに備え、
前記制御部（１０）は、前記設定温度に基づいて前記給温水判定値を定める、
請求項１から４のいずれか１項に記載の貯湯式給湯装置（１００）。
【請求項８】
前記制御部（１０）に前記温水供給制御を実行させる期間の設定を受け付けるタイマ部（１２）をさらに備え、
前記制御部（１０）は、前記タイマ部（１２）に設定された期間の長さが長い程低めの値となるように前記給温水判定値を定める、
請求項１から７のいずれか１項に記載の貯湯式給湯装置（１００）。
【請求項９】
前記給温水判定値の過去の値を格納する履歴メモリ（１１）をさらに備え、
前記制御部（１０）は、前記履歴メモリ（１１）に格納された過去の前記給温水判定値の値に基づいて新たに前記給温水判定値の値を定めた後、前記温水供給制御の開始を許容する、
請求項１から８のいずれか１項に記載の貯湯式給湯装置（１００）。
【請求項１０】
前記貯湯タンク（３５）の横断面積は、１３００ｃｍ2以下であって、
前記貯湯タンク（３５）の内容積は、１００リットル以上２００リットル以下である、
請求項１から９のいずれか１項に記載の貯湯式給湯装置（１００）。
【請求項１１】
前記ヒートポンプユニット（１）の作動冷媒が二酸化炭素冷媒である、
請求項１から１０のいずれか１項に記載の貯湯式給湯装置（１００）。
【発明の詳細な説明】
【技術分野】
【０００１】
本発明は、貯湯式給湯装置に関する。
【背景技術】
【０００２】
水道水を沸き上げて貯湯タンクに保持しつつ必要な時にお湯を用いるタイプの貯湯式給湯装置においては、例えば、特許文献１（特開２００７−２７１１１９号公報）に示すように、電気料金が比較的安く設定してある深夜電力を利用して貯湯タンクをお湯で満たす、沸き上げ運転が行われている。
【０００３】
そして、特許文献２（特開平５−２６４０９９号公報）に記載の電気温水器では、深夜電力で沸かした貯湯タンクの湯が残るという無駄を回避するべく、浴槽の保温のために貯湯タンクの高温水を積極的に利用することを提案している。
【０００４】
さらに、特許文献３（特開２００９−５２７６０号公報）に記載の貯湯式給湯機では、追焚きを行う際に、浴槽における残り湯の湯量とその温度に基づいて、浴槽の湯温が目標温度になるように追加注湯量とその際の追加注湯温度を設定することを提案している。
【発明の概要】
【発明が解決しようとする課題】
【０００５】
しかし、上述した特許文献２（特開平５−２６４０９９号公報）および特許文献３（特開２００９−５２７６０号公報）のいずれの文献においても、どのような状況で浴槽にお湯を加えるかに関しては、なんら検討されていない。
【０００６】
例えば、先のユーザが入浴して浴槽のお湯が多少減った状態から、次に他のユーザが入浴するまでの時間が長くなった場合には、再度、浴槽のお湯を暖めなおすために、追加注湯を行って浴槽の水温を上げるか、追焚き熱交換器を利用して貯湯タンクの水が有している熱で浴槽の水温を上げること等が考えられる。
【０００７】
ところが、追焚き熱交換器を利用して浴槽の水の温度を上げる場合には、貯湯タンクの中間温度層の量が増大する。このため、ヒートポンプユニットで行われる冷凍サイクルにおいてエンタルピの変化量が少なくなるため、成績係数（ＣＯＰ）を良好な値に保つことが困難になる。
【０００８】
一方、追加注湯を行って浴槽の水温を上げようとしても、先のユーザが入浴した際のお湯の減少量が少ない場合には、浴槽からお湯が溢れることなく追加注湯することができる量は制限され、追加注湯できる量は少ない。こうして、追加注湯だけでは浴槽の温度を希望の温度まで昇温させることができない場合には、上記同様に、追焚き熱交換器を利用することになり、貯湯タンクの中間温度層の量が増大してしまう。
【０００９】
本発明は上述した点に鑑みてなされたものであり、本発明の課題は、例えば追焚き熱交換器等を用いた熱交換により浴槽の温水の温度を上げる場合に生じうる貯湯タンクの中間温度層の量の増大に伴うヒートポンプユニットの成績係数の低下を抑制させつつ、ユーザの望む水温と水量の状態の浴槽に近づけることが可能な貯湯式給湯装置を提供することにある。
【課題を解決するための手段】
【００１０】
第１発明の貯湯式給湯装置は、ヒートポンプユニットによって加熱して得られる温水を貯湯タンクに貯留する貯湯式給湯装置であって、温水供給部、浴槽水量検出部、および、制御部を備えている。温水供給部は、貯湯タンクの温水を温度調節して浴槽に供給する。浴槽水量検出部は、浴槽の温水の水位もしくは水量の少なくともいずれか一方を検出する。制御部は、足し湯制御、および、高温足し湯制御を行う。足し湯制御では、制御部は、放熱しにくい状況よりも放熱しやすい状況の方が低い値になるように給温水判定値を定め、浴槽水量検出部が給温水判定値以下の値を検出した場合に温水供給部による浴槽への温水の供給を行って浴槽の温水の水位もしくは水量を増加させる。高温足し湯制御では、制御部は、温水供給部による浴槽への高温追加水の供給により浴槽の温度を上昇させる。
【００１１】
一般に、放熱量が多い場合には、浴槽の水温が下がりやすいため、保温の際に必要となる熱量が多くなりがちになる。このような場合において、この貯湯式給湯装置では、給温水判定値を低めに定めるようにすることで、浴槽の温度および水量を自動的に望みの状態近づける動作を行う場合に、温水供給部による浴槽への温水供給量をより多くすることができるようになる。これにより、例えば追焚き熱交換器等を用いた熱交換により浴槽の温水の温度を上げる場合に生じうる貯湯タンクの中間温度層の量の増大に伴うヒートポンプユニットの成績係数の低下を抑制させつつ、ユーザの望む水温と水量の状態の浴槽に近づけることが可能になる。
【００１２】
第２発明の貯湯式給湯装置は、第１発明の貯湯式給湯装置において、浴槽の水の放熱量もしくは放熱量に関する情報を把握する放熱把握部をさらに備えている。制御部は、放熱把握部が把握した値もしくは情報に基づいて給温水判定値を定める。
【００１３】
この貯湯式給湯装置は、給温水判定値を定める種の放熱把握部が存在することで、貯湯タンクの中間温度層の増大を抑制できるような給温水判定値をより正確に把握することが可能になる。
【００１４】
第３発明の貯湯式給湯装置は、第２発明の貯湯式給湯装置において、放熱把握部は、外気温度情報、外部から供給される水の給水温度情報、カレンダー情報の少なくともいずれか１つを把握する。
【００１５】
この貯湯式給湯装置では、放熱把握部は、例えば、把握した外気温情報や外部から供給される水の給水温度情報が高い場合には、放熱量が少ないと判断することが可能になる。また、放熱把握部は、把握したカレンダー情報から季節を特定できる場合には、同様に放熱量を推測することが可能になる。
【００１６】
第４発明の貯湯式給湯装置は、第１発明から第３発明のいずれかの貯湯式給湯装置において、貯湯タンクの温水と浴槽の温水とを熱交換させることで浴槽の温水の温度を上昇させる追焚き熱交換部をさらに備えている。制御部は、追焚き熱交換部による貯湯タンクの温水と浴槽の温水との熱交換により浴槽の温水の温度を上昇させる追焚き制御を行い、浴槽水量検出部が検出する値に基づいて、高温足し湯制御および追焚き制御のいずれかを優先して行う。
【００１７】
この貯湯式給湯装置は、追焚き熱交換器を備えた貯湯式給湯装置であっても、給温水判定値を低めに定めるようにすることで、浴槽の温度および水量を自動的に望みの状態近づける動作を行う場合に浴槽に追加できる温水供給部からの温水の量を増大させることができる。ここで、追焚き熱交換器を用いて浴槽の熱量を増大させる場合における貯湯タンクの中間温度層の量の増大よりも、温水供給部を用いた浴槽への温水の供給における貯湯タンクの中間温度層の量の増大は、少ない。このため、貯湯タンクの中間温度層の量の増大を抑制させつつ、ユーザの望む水温と水量の状態の浴槽に近づけることが可能になる。
【００１８】
第５発明の貯湯式給湯装置は、第４発明の貯湯式給湯装置において、浴槽の設定水位もしくは設定水量を受け付ける浴槽設定水量受付部と、浴槽の設定温度を受け付ける浴槽設定温度受付部と、をさらに備えている。高温足し湯制御は、所定量の高温追加水を浴槽に追加することで行われる。制御部は、浴槽の温水の温度が設定温度になること、および浴槽の温水の水位もしくは水量が設定水位もしくは水量またはその近傍の水位もしくは水量になること、のいずれか一方の条件を満たすまで高温足し湯制御を行う。
【００１９】
この貯湯式給湯装置は、温水供給制御において、浴槽への高温追加水の供給量をより多くすることで、浴槽の水を設定温度で設定水位の状態にするための追焚き熱交換器等の利用程度を効果的に低減させることができるようになる。
【００２０】
第６発明の貯湯式給湯装置は、第１発明から第４発明のいずれかの貯湯式給湯装置において、浴槽の設定水位もしくは設定水量を受け付ける浴槽設定水量受付部をさらに備えている。制御部は、給温水判定値を、浴槽設定水量受付部が受け付けた値、および、浴槽に溜められる最大水位もしくは最大水量、の少なくともいずれか１つに基づいて定める。
【００２１】
この貯湯式給湯装置は、ユーザの設定水位等もしくは浴槽から溢れ出さない程度の水位等となるまで、温水供給部による浴槽への温水の供給が可能となる。
【００２２】
第７発明の貯湯式給湯装置は、第１発明から第４発明のいずれかの貯湯式給湯装置において、浴槽の設定温度を受け付ける浴槽設定温度受付部をさらに備えている。制御部は、設定温度に基づいて給温水判定値を定める。
【００２３】
この貯湯式給湯装置では、制御部が、例えば、設定温度が高いほど放熱量が多くなり設定温度が低いほど放熱量が少なくなる等と推測することができ、その場合の給温水判定値を貯湯タンクの中間温度層の増大を抑制できるような値に定めることができるようになる。また、設定温度は浴槽設定温度受付部が受け付けるため、浴槽の放熱量等を把握するための手段を別途あらたに設ける必要がなくなる。
【００２４】
第８発明の貯湯式給湯装置は、第１発明から第７発明のいずれかの貯湯式給湯装置において、制御部に温水供給制御を実行させる期間の設定を受け付けるタイマ部をさらに備えている。制御部は、タイマ部に設定された期間の長さが長い程低めの値となるように給温水判定値を定める。
【００２５】
一般に、タイマ部に設定された期間が長ければ長いほど、浴槽の水の放熱量が多くなり、保温の際に必要となる熱量が多くなりがちになる。このような場合において、この貯湯式給湯装置は、給温水判定値を低めに定めるようにすることで、温水供給部を利用した温水の浴槽への供給量をより多くすることができるとともに、追焚き熱交換器等による加熱量を少なく抑えることが可能になる。
【００２６】
第９発明の貯湯式給湯装置は、第１発明から第８発明のいずれかの貯湯式給湯装置において、給温水判定値の過去の値を格納する履歴メモリをさらに備えている。制御部は、履歴メモリに格納された過去の給温水判定値の値に基づいて新たに給温水判定値の値を定めた後、温水供給制御の開始を許容する。
【００２７】
この貯湯式給湯装置は、ユーザの使用状況に応じた値に給温水判定値を設定して、温水供給制御を行うことが可能になる。
【００２８】
第１０発明の貯湯式給湯装置は、第１発明から第９発明のいずれかの貯湯式給湯装置において、貯湯タンクの横断面積は、１３００ｃｍ2以下である。貯湯タンクの内容積は、１００リットル以上２００リットル以下である。
【００２９】
この貯湯式給湯装置は、横断面積が１３００ｃｍ2以下で、内容積が１００リットル以上２００リットル以下の貯湯タンクでは、その高さ幅が十分に設けられているため、上層部分の高温層と下層部分の低温層との温度が混ざりにくい。このため、ヒートポンプユニットに供給する水温を低く抑えやすくなり、成績係数を良好に維持することが可能になる。また、従来の貯湯タンクよりも小さな内容積が１００リットル以上２００リットル以下の貯湯タンクでは、ヒートポンプユニットの作動が従来よりも頻繁に行われがちになるが、このような場合であっても、浴槽の保温動作において貯湯タンクにおける中間温度層の増大が抑制されているために、成績係数を良好に保つことが可能になる。
【００３０】
第１１発明の貯湯式給湯装置は、第１発明から第１０発明のいずれかの貯湯式給湯装置において、ヒートポンプユニットの作動冷媒が二酸化炭素冷媒である。
【００３１】
この貯湯式給湯装置は、二酸化炭素冷媒を用いた冷凍サイクルにおいて、エンタルピの変動幅を従来よりも大きく取ることができるため、成績係数を良好にすることが可能になる。
【発明の効果】
【００３２】
第１発明の貯湯式給湯装置では、ヒートポンプユニットの成績係数の低下を抑制させつつ、ユーザの望む水温と水量の状態の浴槽に近づけることが可能になる。
【００３３】
第２発明の貯湯式給湯装置では、貯湯タンクの中間温度層の増大を抑制できるような給温水判定値をより正確に把握することが可能になる。
【００３４】
第３発明の貯湯式給湯装置では、放熱量を推測することが可能になる。
【００３５】
第４発明の貯湯式給湯装置では、貯湯タンクの中間温度層の量の増大を抑制させつつ、ユーザの望む水温と水量の状態の浴槽に近づけることが可能になる。
【００３６】
第５発明の貯湯式給湯装置では、浴槽の水を設定温度で設定水位の状態にするための追焚き熱交換器等の利用程度を効果的に低減させることができるようになる。
【００３７】
第６発明の貯湯式給湯装置では、ユーザの設定水位等もしくは浴槽から溢れ出さない程度の水位等となるまで、温水供給部による浴槽への温水の供給が可能となる。
【００３８】
第７発明の貯湯式給湯装置では、浴槽の放熱量等を把握するための手段を別途あらたに設ける必要がなくなる。
【００３９】
第８発明の貯湯式給湯装置では、温水供給部を利用した温水の浴槽への供給量をより多くすることができるとともに、追焚き熱交換器等による加熱量を少なく抑えることが可能になる。
【００４０】
第９発明の貯湯式給湯装置では、ユーザの使用状況に応じた値に給温水判定値を設定して、温水供給制御を行うことが可能になる。
【００４１】
第１０発明の貯湯式給湯装置では、浴槽の保温動作において貯湯タンクにおける中間温度層の増大が抑制されているために、成績係数を良好に保つことが可能になる。
【００４２】
第１１発明の貯湯式給湯装置では、成績係数を良好にすることが可能になる。
【図面の簡単な説明】
【００４３】
【図１】本発明の一実施形態に係る貯湯式給湯装置の概略外観図である。
【図２】本発明の一実施形態に係る貯湯式給湯装置の概略構成図である。
【図３】本発明の一実施形態に係る風呂自動制御のフローチャートである。
【図４】変形例（Ｅ）に係る貯湯式給湯装置の概略構成図である。
【発明を実施するための形態】
【００４４】
本発明の一実施形態に係る貯湯式給湯装置１００について、図面を用いて説明する。
【００４５】
＜貯湯式給湯装置１００の構成＞
図１に、本発明の一実施形態に係る貯湯式給湯装置１００の外観概略図を示す。図２に貯湯式給湯装置１００の概略構成図を示す。
【００４６】
貯湯式給湯装置１００は、使用される前に予めお湯を溜めておいたり浴槽７０の温水を加熱したりするための給湯装置であって、ヒートポンプユニット１と貯湯ユニット３と、これらの管理や制御を行うコントローラ１０等を備えている。
【００４７】
＜ヒートポンプユニット１＞
ヒートポンプユニット１は、お湯を作り出すための熱源装置として電力を得て機能することができ、二酸化炭素冷媒が循環する冷媒回路２０と、水熱交換器２２と、空気熱交ファン２４Ｆと、各種センサ等を備えている。なお、このヒートポンプユニット１は、瞬間最大加熱能力は、４．５ｋＷ以上のものであって、本実施形態では瞬間最大加熱能力が１０ｋＷとなっている。
【００４８】
この冷媒回路２０は、圧縮機２１、内部熱交換器２６、膨張弁２３、空気熱交換器２４、水熱交換器２２内の冷媒管２２ｒおよび、冷媒配管２５を有している。
【００４９】
内部熱交換器２６は、高圧側管２６ｈと、低圧側管２６ｌとを有している。内部熱交換器２６は、高圧側管２６ｈを流れる冷媒と、低圧側管２６ｌを流れる冷媒と、の間で熱交換を行わせる。内部熱交換器２６においては、高圧側管２６ｈを流れる冷媒流れ方向と、低圧側管２６ｌを流れる冷媒流れ方向とが、互いに対向流の関係となるように設けられている。
【００５０】
冷媒配管２５は、圧縮機２１の吐出側、水熱交換器２２内の冷媒管２２ｒ、内部熱交換器２６内の高圧側管２６ｈ、膨張弁２３、空気熱交換器２４、内部熱交換器２６内の低圧側管２６ｌ、圧縮機２１の吸入側、の順に各機器を接続しており、内部に冷媒を循環させている。
【００５１】
水熱交換器２２は、冷媒管２２ｒと、水管３２ｗとを有している。水熱交換器２２は、ヒートポンプユニット１の圧縮機２１によって吐出された後に冷媒管２２ｒを流れる高温の冷媒と、後述する貯湯ユニット３を循環する際に水管３２ｗを流れる水と、の間で熱交換を行わせる。この水熱交換器２２における熱交換によって、冷媒管２２ｒを通過する冷媒が冷却されると同時に、水管３２ｗを通過する水が加熱され、お湯を作り出すことができる。
【００５２】
空気熱交ファン２４Ｆは、コントローラ１０によって、空気熱交換器２４に供給される空気の風量が調節される。これにより、空気熱交換器２４における冷媒の蒸発能力が調節される。
【００５３】
各種センサとしては、冷媒に関する温度や圧力を検知するセンサ等があり、例えば、吸入圧力センサ２０Ｐ、吸入温度センサ２０Ｔ、吐出圧力センサ２１Ｐ、吐出温度センサ２１Ｔ、水熱交後冷媒温度センサ２２Ｔ、外気温度センサ２３Ｔおよび空気熱交後冷媒温度センサ２４Ｔ等が、コントローラ１０が検知値を把握可能なように設けられている。吸入圧力センサ２０Ｐは、圧縮機２１の吸入側を通過する冷媒圧力を検知する。吸入温度センサ２０Ｔは、圧縮機２１の吸入側を通過する冷媒温度を検知する。吐出圧力センサ２１Ｐは、圧縮機２１の吐出側を通過する冷媒圧力を検知する。吐出温度センサ２１Ｔは、圧縮機２１の吐出側を通過する冷媒温度を検知する。水熱交後冷媒温度センサ２２Ｔは、水熱交換器２２を通過することで冷却された冷媒の温度を検知する。空気熱交後冷媒温度センサ２４Ｔは、空気熱交換器２４において加熱された後の冷媒の温度を検知する。
【００５４】
＜貯湯ユニット３＞
貯湯ユニット３は、市水等の外部からの外部給水路８１およびタンク用給水路８２を介して供給される水をヒートポンプユニット１から得られる熱によって加熱し、蓄えつつ、混合用給水路８３を介して混合された温水を浴槽７０等に供給するための装置である。この貯湯ユニット３は、貯湯タンク３５、貯湯回路３０、追焚き熱交換器５、追焚き回路４０、風呂回路６０および給水給湯回路５０等を備えている。ここでは、図示していないが、貯湯タンク３５は、発泡スチロールもしくは発泡ポリエチレン等によって形成された断熱材によって周囲が覆われており、貯湯タンク３５内の熱が逃げ出しにくいように構成されている。なお、貯湯ユニット３でつくられたお湯は、浴槽７０以外において用いられるようにしても良いが、ここでは説明を簡潔にするために他の用途のための回路を省略している。
【００５５】
（貯湯タンク３５）
貯湯タンク３５は、ヒートポンプユニット１から得られる熱によって得られるお湯を予め蓄えておくタンクである。この貯湯タンク３５は、内容積は約１８０リットルであり、横断面積が１１００ｃｍ2程度であり、鉛直方向の長さが１６５ｃｍ程度である。
【００５６】
貯湯タンク３５内は水および／またはお湯によって常に満たされており、お湯の量をコントローラ１０に把握させるための、湯量温度検知センサ３６が設けられている。この湯量温度検知センサ３６は、第１湯量検知温度センサＴ１〜第６湯量検知温度センサＴ６を有している。これらの第１湯量検知温度センサＴ１〜第６湯量検知温度センサＴ６は、貯湯タンク３５の下方から上方に向けて順に所定間隔で配置されている。
【００５７】
（貯湯回路３０）
貯湯回路３０は、貯湯タンク３５内の水もしくはお湯に対してヒートポンプユニット１で得られる熱を伝えるための回路であり、沸き上げ往き管３１、水熱交換器２２内の水管３２ｗ、沸き上げ戻り管３３、および、沸き上げポンプ３４を有している。
【００５８】
沸き上げ往き管３１は、貯湯タンク３５の下端部近傍と水熱交換器２２内の水管３２ｗの上流側端部とを接続している。この沸き上げ往き管３１には、通過する水もしくはお湯の温度を検知するための貯湯往き温度センサ３１Ｔが設けられている。
【００５９】
沸き上げ戻り管３３は、水熱交換器２２内の水管３２ｗの下流側端部と貯湯タンク３５の上端近傍とを接続している。この沸き上げ戻り管３３には、通過する水もしくはお湯の温度を検知するための貯湯戻り温度センサ３３Ｔが設けられている。
【００６０】
沸き上げポンプ３４は、沸き上げ往き管３１の途中に設けられている。貯湯回路３０では、沸き上げポンプ３４がコントローラ１０からの指令を受けて駆動することにより、貯湯タンク３５内の水もしくはお湯のうち下方に存在している温度の低い水を、沸き上げ往き管３１に流出させ、水熱交換器２２内の水管３２ｗを通過させることで温度上昇させ、沸き上げ戻り管３３を介して貯湯タンク３５の上端近傍に戻している。
【００６１】
これにより、貯湯タンク３５内のお湯と水との境界が上から下に向けて移動していくことになり、貯湯タンク３５内のお湯の量が増えていく。
【００６２】
（追焚き熱交換器５）
追焚き熱交換器５は、貯湯タンク３５内のお湯が循環する被冷却管４２ｗと、浴槽７０の温水が循環する被加熱管６３ｗと、を有している。
【００６３】
追焚き熱交換器５では、被冷却管４２ｗを流れるお湯と、被加熱管６３ｗを流れる温水と、の間で熱交換を行わせることで、被加熱管６３ｗを流れるお湯の温度を上げることができる。
【００６４】
（追焚き回路４０）
追焚き回路４０は、貯湯タンク３５に蓄えられているお湯が有している熱を利用して、浴槽７０の温水の温度をさらに上げるための熱供給側の回路であって、追焚き往き管４１、追焚き熱交換器５内の被冷却管４２ｗ、追焚き戻り管４３、および、追焚き循環ポンプ４４を有している。
【００６５】
追焚き往き管４１は、貯湯タンク３５の上端部近傍と追焚き熱交換器５内の被冷却管４２ｗの上流側端部とを接続している。
【００６６】
追焚き戻り管４３は、追焚き熱交換器５内の被冷却管４２ｗの下流側端部と貯湯タンク３５の下端近傍とを接続している。
【００６７】
追焚き循環ポンプ４４は、追焚き戻り管４３の途中に設けられている。
【００６８】
追焚き回路４０では、追焚き循環ポンプ４４がコントローラ１０からの指令を受けて駆動することにより、貯湯タンク３５内の水もしくはお湯のうち上方に存在している温度の高いお湯を、追焚き往き管４１に流出させ、追焚き熱交換器５内の被冷却管４２ｗを通過させることで温度低下させつつ、追焚き戻り管４３を介して貯湯タンク３５の下端近傍に戻している。
【００６９】
（風呂回路６０）
風呂回路６０は、追焚き回路４０を介して貯湯タンク３５に蓄えられているお湯の熱を得るための回路であって、風呂往き管６１、追焚き熱交換器５内の被加熱管６３ｗ、風呂戻り管６４、給水給湯回路５０においても用いられている風呂接続管５６、および、風呂循環ポンプ６２を有している。
【００７０】
風呂往き管６１は、浴槽７０のアダプタ７１と、追焚き熱交換器５内の被加熱管６３ｗの上流側端部と、を接続している。この風呂往き管６１には、通過する水もしくはお湯の温度を浴槽７０の湯温として検知する風呂温度センサ６１Ｔ、および、通過する水圧を検出することで浴槽７０の水位を把握する風呂水位センサ６１Ｐが設けられている。
【００７１】
風呂循環ポンプ６２は、風呂往き管６１の途中に設けられている。なお、風呂水位センサ６１Ｐは常時検出可能であるが、風呂温度センサ６１Ｔによる検出は風呂循環ポンプ６２が駆動して浴槽７０の温水を風呂温度センサ６１Ｔの近傍に通過させることで検出が行われる。
【００７２】
風呂戻り管６４は、追焚き熱交換器５内の被加熱管６３ｗの下流側端部と、風呂接続管５６の浴槽７０側とは反対側の端部と、を接続している。
【００７３】
風呂接続管５６は、風呂戻り管６４の下流側端部と、浴槽７０のアダプタ７１と、を接続している。
【００７４】
風呂回路６０では、風呂循環ポンプ６２がコントローラ１０からの指令を受けて駆動することにより、浴槽７０のお湯を、風呂往き管６１に流出させ、追焚き熱交換器５内の被加熱管６３ｗを通過させることで温度上昇させつつ、風呂戻り管６４および風呂接続管５６を介して浴槽７０に戻している。
【００７５】
これにより、外部の浴槽７０のお湯の温度を上げることができ、追焚きを実行することができている。
【００７６】
（給水給湯回路５０）
給水給湯回路５０は、外部から供給される水と、貯湯タンク３５内のお湯と、を混合して得られる適度な温度の温水を、浴槽７０に供給するための回路である。この給水給湯回路５０は、外部給水路８１、タンク用給水路８２、出湯管５１、風呂給湯管５２、風呂回路６０においても用いられている風呂接続管５６、混合用給水路８３および給湯混合弁８４を有している。
【００７７】
外部給水路８１およびタンク用給水路８２は、外部の市水等から供給される常温の水を貯湯タンク３５の下端近傍から貯湯タンク３５内に導く。このタンク用給水路８２は、市水によって供給される水の温度を検知するための給水温度センサ８２Ｔが設けられている。
【００７８】
出湯管５１は、貯湯タンク３５に蓄えられている水もしくはお湯のうち、上端近傍に存在している比較的温度の高いお湯を、給湯混合弁８４まで導く管である。この出湯管５１には、通過する水もしくはお湯の温度を検知するための出湯温度センサ５１Ｔが設けられている。
【００７９】
混合用給水路８３は、貯湯タンク３５の上端近傍から出湯管５１を通じて流れるより高温のお湯に、常温の市水を混合させることにより、浴槽７０に供給する温水の温度を調節するための管である。この混合用給水路８３は、外部給水路８１とタンク用給水路８２との接続部分と、給湯混合弁８４と、を接続している。
【００８０】
給湯混合弁８４は、出湯管５１と混合用給水路８３との混合部分に設けられている。この給湯混合弁８４は、コントローラ１０からの指令を受けて貯湯タンク３５の上端近傍から浴槽７０まで導こうとするお湯の量、および、混合用給水路８３を通過させる水の量との混合比率を調節することができる。
【００８１】
風呂給湯管５２は、貯湯タンク３５内のお湯と混合用給水路８３とが給湯混合弁８４によって混合されつつ温度調節された温水を、風呂接続管５６を介して浴槽７０に供給するための管である。
【００８２】
風呂接続管５６は、その上流側端部が風呂給湯管５２の下流側端部および風呂戻り管６４の下流側端部と接続されており、その下流側端部が浴槽７０のアダプタ７１に接続されている。
【００８３】
（コントローラ１０）
コントローラ１０は、設定温度受付部１０Ｔ、設定水位受付部１０Ｐ、メモリ１１、タイマ１２、高温追加指示受付部１３、給水判定水位設定受付部１７、風呂自動運転受付部１５、および、追焚き指示受付部１６を備えている。
【００８４】
設定温度受付部１０Ｔは、ユーザからの浴槽７０の設定温度の入力を受け付ける。
【００８５】
設定水位受付部１０Ｐは、ユーザからの浴槽７０の設定水位の入力を受け付ける。
【００８６】
メモリ１１には、予め、浴槽７０が溢れ始める水位のデータ、一日のうちの時間帯毎の電力料金設定に関する情報が格納されている。また、メモリ１１には、貯湯式給湯装置１００の運転が行われるに伴い、各種運転履歴データ、状態データの格納が行われる。
【００８７】
タイマ１２は、所定の運転が行われている時間や、所定の運転を続ける時間のカウントを行ったり、ユーザからの保温期間の設定入力を受け付けたりする。
【００８８】
高温追加指示受付部１３は、ユーザによって押されることで所定の指示を受け付けるためのボタンであり、ユーザによって一度押された時に、給湯混合弁８４で調節された設定温度よりも高温のお湯（ここでは６０℃に設定されている）を所定量（ここでは２０リットル）だけ、給水給湯回路５０によって浴槽７０に供給する制御が開始される。
【００８９】
給水判定水位設定受付部１７は、浴槽７０への給水給湯回路５０による自動的な温水の供給を開始する基準となる浴槽７０の水位である給水判定水位を、予めユーザによる入力で設定することができる。この給水判定水位設定受付部１７が受け付けた給水判定水位は、後述するように、外気温度センサ２３Ｔが検知する温度に応じてコントローラ１０によって補正された値として用いられる。
【００９０】
追焚き指示受付部１６は、ユーザによって押されることで所定の指示を受け付けるためのボタンであり、ユーザによって押された時に追炊き熱交換器５を用いた浴槽７０の昇温動作が開始される。
【００９１】
風呂自動運転受付部１５は、ユーザによって押されることで所定の指示を受け付けるためのボタンであり、浴槽７０が設定温度で設定水位となるようにお湯をはり、設定された時間（保温期間）の間だけ自動的に所定温度および所定水位が維持されるような保温制御を続ける。なお、この保温制御中においても、ユーザが高温追加指示受付部１３のボタンを押したり、ユーザが追焚き指示受付部１６のボタンを押したりすると、これらの制御が優先されて即時開始され、保温制御中であっても、ユーザの望むタイミングで浴槽７０を所望の状態にすることができるようになっている。
【００９２】
コントローラ１０は、第１湯量検知温度センサＴ１〜第６湯量検知温度センサＴ６が検知する値から貯湯タンク３５内のお湯の量を把握しており、貯湯タンク３５内のお湯の量が所定量よりも少なくなった時点で、ヒートポンプユニット１と沸き上げポンプ３４を駆動させることで貯湯タンク３５内の水の熱量を増大させる制御を行う。
【００９３】
＜風呂自動制御＞
風呂自動制御は、図３のフローチャートに示すように、浴槽７０に高温のお湯を供給することによる浴槽７０の昇温を、追焚き熱交換器５を用いた浴槽７０の昇温よりも、できるだけ多く利用できるように、浴槽７０へのお湯の供給を開始させる水位をできるだけ低く抑える制御である。
【００９４】
なお、コントローラ１０は、給水判定水位設定受付部１７を介して予めユーザから給水判定水位を受け付け、メモリ１１等に格納させている。また、コントローラ１０のメモリ１１には、タイマ１２を介してユーザから入力された保温期間のデータを格納させている。
【００９５】
この風呂自動制御は、ユーザによって、風呂自動運転受付部１５のボタンが押されることで開始される。
【００９６】
ステップＳ１１では、コントローラ１０は、設定温度受付部１０Ｔを介して受け付けている設定温度となるように給湯混合弁８４によって調節した温水を、給水給湯回路５０を介して浴槽７０へ供給し始め、ステップＳ１２に移行する。
【００９７】
ステップＳ１２では、コントローラ１０は、設定水位受付部１０Ｐを介して受け付けている設定水位に達したか否かを判断する。ここで設定水位に達していない場合は、ステップＳ１１に戻って繰り返す。設定水位に達していた場合は、タイマ１２によって保温期間のカウントを開始しつつ、ステップＳ１３に移行する。
【００９８】
ステップＳ１３では、コントローラ１０は、給水判定水位設定受付部１７を介して予めユーザから受け付けていた給水判定水位（設定水位よりも低い水位）を、外気温度センサ２３Ｔが検知する温度に基づいて補正し、補正後の給水判定水位を新たに給水判定水位として特定し、ステップＳ１４に移行する。
【００９９】
ここでの補正による給水判定水位の特定は、外気温度センサ２３Ｔの検知値が小さいほど（外気温が低いほど）浴槽７０の温水の熱が多く放熱されることを考慮して、放熱しにくい状況よりも放熱しやすい状況の方が低い値（低い水位）になるように補正された値として特定される。
【０１００】
ステップＳ１４では、コントローラ１０は、タイマ１２に基づいて保温期間のカウントが終了していないかどうか判断する。ここで保温期間が経過している場合には、風呂自動制御を終了する。保温期間が経過していない場合は、ステップＳ１５に移行する。
【０１０１】
ステップＳ１５では、コントローラ１０は、風呂水位センサ６１Ｐによって浴槽７０の水位を把握し、ステップＳ１６に移行する。
【０１０２】
ステップＳ１６では、コントローラ１０は、風呂水位センサ６１Ｐが検知する浴槽７０の水位が、設定水位受付部１０Ｐを介して受け付けている設定水位以下であるかどうかを判断する。ここで、設定水位以下でない場合には、ステップＳ１７に移行する。設定水位以下である場合には、ステップＳ２０に移行する。
【０１０３】
ステップＳ１７では、コントローラ１０は、風呂循環ポンプ６２を駆動させて、風呂温度センサ６１Ｔによる浴槽７０温度の検知を行った後、風呂循環ポンプ６２を停止させる。その後、ステップＳ１８に移行する。
【０１０４】
ステップＳ１８では、コントローラ１０は、風呂温度センサ６１Ｔが検知する浴槽７０の温度が、設定温度受付部１０Ｔを介して受け付けている設定温度未満であるかどうかを判断する。ここで、設定温度未満でない場合には、ステップＳ１４に戻り繰り返す。設定温度未満である場合には、ステップＳ１９に移行する。
【０１０５】
ステップＳ１９では、コントローラ１０は、追焚き循環ポンプ４４および風呂循環ポンプ６２の両方を同時に駆動させた状態にして、追炊き熱交換器５における熱交換を行わせ、浴槽７０に戻る温水の温度を上昇させる追焚き熱交換制御を行う。そして、ステップＳ１７に戻り、浴槽７０の温度が設定温度に達するまでこの追焚き熱交換制御を続ける。
【０１０６】
ステップＳ２０では、コントローラ１０は、風呂水位センサ６１Ｐが検知する浴槽７０の水位が、ステップＳ１３で特定した給水判定水位以下であるかどうかを判断する。ここで、給水判定水位以下でない場合には、ステップＳ１４に戻り繰り返す。給水判定水位以下である場合には、ステップＳ２１に移行する。
【０１０７】
ステップＳ２１では、コントローラ１０は、風呂循環ポンプ６２を駆動させて、風呂温度センサ６１Ｔによる浴槽７０温度の検知を行った後、風呂循環ポンプ６２を停止させる。その後、ステップＳ２２に移行する。
【０１０８】
ステップＳ２２では、コントローラ１０は、風呂温度センサ６１Ｔが検知する浴槽７０の温度が、設定温度受付部１０Ｔを介して受け付けている設定温度未満であるかどうかを判断する。ここで、設定温度未満でない場合には、ステップＳ２８に移行する。設定温度未満である場合には、ステップＳ２３に移行する。
【０１０９】
ステップＳ２３では、コントローラ１０は、高温足し湯制御を行う。ここでは、この高温足し湯制御では、設定温度受付部１０Ｔがユーザから受け付けている設定温度よりも５℃以上高温の温水を、給湯混合弁８４と給水給湯回路５０を用いて、浴槽７０に供給する。具体的には、本実施形態では、一回の高温足し湯制御によって、６０℃のお湯を２０リットルだけ浴槽７０に供給する。その後、ステップＳ２４に移行する。
【０１１０】
ステップＳ２４では、コントローラ１０は、風呂水位センサ６１Ｐが検知する浴槽７０の水位が、設定水位受付部１０Ｐを介して受け付けている設定水位以下であるかどうかを判断する。ここで、設定水位以下でない場合には、ステップＳ２５に移行する。設定水位以下である場合には、ステップＳ２１に戻って、高温足し湯制御を設定水位もしくは設定温度に至まで繰り返す。
【０１１１】
ステップＳ２５では、コントローラ１０は、追焚き循環ポンプ４４および風呂循環ポンプ６２の両方を同時に駆動させた状態にして、追炊き熱交換器５における熱交換を行わせ、浴槽７０に戻る温水の温度を上昇させる追焚き熱交換制御を行う。そして、ステップＳ２６に移行する。
【０１１２】
ステップＳ２６では、コントローラ１０は、風呂循環ポンプ６２を駆動させて、風呂温度センサ６１Ｔによる浴槽７０温度の検知を行った後、風呂循環ポンプ６２を停止させる。その後、ステップＳ２７に移行する。
【０１１３】
ステップＳ２７では、コントローラ１０は、風呂温度センサ６１Ｔが検知する浴槽７０の温度が、設定温度受付部１０Ｔを介して受け付けている設定温度未満であるかどうかを判断する。ここで、設定温度未満でない場合には、ステップＳ１４に戻り繰り返す。設定温度未満である場合には、ステップＳ２５に移行して繰り返す。
【０１１４】
ステップＳ２８では、コントローラ１０は、風呂水位センサ６１Ｐによって浴槽７０の水位を把握し、ステップＳ２９移行する。
【０１１５】
ステップＳ２９では、コントローラ１０は、風呂水位センサ６１Ｐが検知する浴槽７０の水位が、設定水位受付部１０Ｐを介して受け付けている設定水位以下であるかどうかを判断する。ここで、設定水位以下でない場合には、ステップＳ１４に戻って繰り返す。設定水位以下である場合には、ステップＳ３０に移行する。
【０１１６】
ステップＳ３０では、コントローラ１０は、設定温度受付部１０Ｔを介して受け付けている設定温度となるように給湯混合弁８４および給水給湯回路５０を用いて、一度に設定温度のお湯を２０リットルだけ浴槽７０に供給する足し湯制御を行い、ステップＳ２８に戻って繰り返す。
【０１１７】
＜本実施形態の特徴＞
（１）
貯湯タンク３５のお湯の熱を用いて、追焚き熱交換器５によって浴槽７０の温水の温度を上昇させる場合には、追焚き熱交換器５の被冷却管４２ｗを通過した温水は、温度が低下した状態で追焚き戻り管４３を通過して、貯湯タンク３５の下方から貯湯タンク３５に戻される。この際、追焚き熱交換器５の被冷却管４２ｗを通過することで冷却される温水は、熱交換の原理に従うため、浴槽７０の温水の温度（浴槽７０から風呂往き管６１を介して追焚き熱交換器５に流入する温水の温度）よりも低い温度に冷やされることはない。このため、追焚き戻り管４３を介して貯湯タンク３５の下方へ戻される温水の温度は、貯湯タンク３５の上端近傍に存在する高温の温水と、貯湯タンク３５の下端近傍に供給される市水の温度と、の間である中間温度となっている。このようにして、追焚き熱交換器５を用いた追焚き熱交換制御を行った場合には、貯湯タンク３５の中間温度層が増大してしまう。ここで、一般に、ヒートポンプユニット１の成績係数は、沸き上げ往き管３１を介して水熱交換器２２に供給される水の温度が低いほど良好な値になる。しかし、上述の追焚き熱交換制御を行った場合には、貯湯タンク３５に中間温度層が増大するため、沸き上げ往き管３１を介して水熱交換器２２に供給される水の温度を低く維持することができなくなり、ヒートポンプユニット１の成績係数の低下を引き起こしてしまう。
【０１１８】
これに対して、高温足し湯制御では、出湯管５１を介して給湯混合弁８４まで供給される貯湯タンク３５の上層に存在していた高温のお湯と、混合用給水路８３を介して給湯混合弁８４まで供給される低温の市水と、の混合比率を給湯混合弁８４において調節して、給水給湯回路５０の風呂給湯管５２および風呂接続管５６を用いて浴槽７０に高温のお湯（上記実施形態では６０℃）が供給される。この高温足し湯制御では、貯湯タンク３５の下端近傍に、タンク用給水路８２を介して低温の市水が供給されるだけであるため、上記追焚き熱交換制御とは異なり貯湯タンク３５の中間温度層の増大が抑制されている。
【０１１９】
以上において、本実施形態の貯湯式給湯装置１００が行う風呂自動制御では、浴槽７０の温水の水位が、設定水位よりも低い水位である給水判定水位以下になるまで待って、始めて高温足し湯制御を開始する。このため、放熱源となる浴槽７０の温水の量を少なく抑えておくことができるとともに、給水判定水位と設定水位との差分だけ浴槽７０に６０℃のお湯を供給することができる。このように、給水判定水位と設定水位との差分だけ浴槽７０に６０℃のお湯を供給することができるようになるため、浴槽の水位が設定水位から数センチ下回っただけで浴槽への温水の追加を行っている従来の方法よりも、より多くの温水を浴槽７０に供給することができるようになる。これにより、浴槽７０に供給できる６０℃のお湯の量が従来よりも増大することによって、６０℃のお湯の供給により浴槽７０が設定温度に至らないまま設定水位に達したとしても、浴槽７０を設定温度まで昇温させるための追炊き熱交換器５の使用量を少なく抑えることができる。なお、６０℃のお湯の供給中に、浴槽７０の水位を設定水位に到達させる前に設定温度に至った場合には、追炊き熱交換器５を用いることなく、給湯混合弁８４や給水給湯回路５０を用いて設定水温に調節された温水を浴槽７０に供給して設定水位に至らしめることができる。このように、本実施形態の風呂自動制御では、追炊き熱交換器５の使用量をできるだけ少なくすることができるため、貯湯タンク３５の中間温度層の増大を抑制し、ヒートポンプユニット１の成績係数の悪化を抑制させることができる。
【０１２０】
（２）
また、本実施形態の風呂自動制御では、足し湯制御よりも高温足し湯制御を優先させており、足し湯制御は、高温足し湯制御によって浴槽７０が設定温度に至った場合においてのみ実行されるようになっている。このため、例えば、足し湯制御を優先した場合において浴槽７０を設定水位の設定温度状態にするために用いる追炊き熱交換器５の使用量を、より確実に低減させることができている。
【０１２１】
（３）
また、給水判定水位の補正に用いる浴槽７０の放熱量に関する情報の取得を、外気温度センサ２３Ｔで取得される値を用いて行っている。このため、ヒートポンプユニット１の制御のための外気温度センサ２３Ｔを、給水判定水位の補正に用いる浴槽７０の放熱量に関する情報の取得のために流用することができている。
【０１２２】
（４）
なお、本実施形態の貯湯タンク３５は、内容積は約１８０リットル、横断面積が１１００ｃｍ2程度、鉛直方向の長さが１６５ｃｍ程度であり、その高さが十分に設けられているため、上層部分の高温層と下層部分の低温層との温度が混ざりにくい。このため、ヒートポンプユニット１に供給する水温を低く抑えやすくなるため、ヒートポンプユニット１の成績係数を良好に維持することができる。また、内容積が３７０リットル程度の従来の貯湯タンクよりも内容積が１８０リットル程度で小さな貯湯タンク３５では、ヒートポンプユニット１の作動が従来よりも頻繁に行われがちになるが、このような場合であっても、浴槽７０の保温動作において、貯湯タンク３５の中間温度層が増大しにくいために、成績係数を良好に保つことができる。
【０１２３】
＜上記実施形態の変形例＞
（Ａ）
上記実施形態では、高温足し湯制御の際に浴槽７０には、６０℃のお湯を２０リットル供給する場合を例に挙げて説明した。
【０１２４】
しかし、例えば、高温足し湯制御の際に浴槽７０に供給されるお湯の温度および量は、これに限られず、他の温度や量であってもよい。
【０１２５】
また、設定温度受付部１０Ｔにおいて受け付けた設定温度および設定水位受付部１０Ｐにおいて受け付けた設定水位から把握される浴槽７０に必要な合計熱量から、風呂温度センサ６１Ｔから把握される浴槽７０の温度および風呂水位センサ６１Ｐから把握される浴槽７０の水位から把握される浴槽７０内の現在の熱量を減じて得られる熱量を、設定水位と現在の水位との差分の水量増加によって浴槽７０に供給できるように、供給する温水の温度および量を定めるようにしてもよい。この場合には、迅速に、浴槽７０を設定温度で設定水位の状態にすることができるようになるとともに、足し湯制御等の制御を不要にすることができる。
【０１２６】
（Ｂ）
上記実施形態では、給水判定水位の補正に用いる浴槽７０の放熱量に関する情報の取得を外気温度センサ２３Ｔによって行う場合を例に挙げて説明した。
【０１２７】
しかし、給水判定水位の補正に用いる浴槽７０の放熱量に関する情報の取得は、例えば、コントローラ１０のメモリ１１に予めカレンダー情報を格納させておき、このカレンダー情報に基づいて補正するようにしてもよい。具体的には、浴槽７０の温度に近い夏場は放熱量が少ないため高めの水位に補正し、浴槽７０の温度に近くない冬場は放熱量が多いため低めの水位に補正するようにしてもよい。
【０１２８】
この他、給水判定水位の補正に用いる浴槽７０の放熱量に関する情報の取得は、例えば、給水温度センサ８２Ｔが検知する値によって行ってもよい。給水温度センサ８２Ｔの検知値は、上記外気温度センサ２３Ｔの検知値やカレンダー情報等と同様に、浴槽７０の放熱量を推測することができるからである。
【０１２９】
また、給水判定水位の補正に用いる浴槽７０の放熱量に関する情報の取得は、例えば、風呂温度センサ６１Ｔが検知する温度変化によって行ってもよい。
【０１３０】
なお、上述の特定される給水判定水位は、設定水位や浴槽７０の最大水量（溢れる直前の水量）等に基づいて定めるようにしてもよい。
【０１３１】
さらに、この給水判定水位は、設定温度受付部１０Ｔが受け付ける設定温度に基づいて定めるようにしてもよい。この場合には、例えば、設定温度が高いほど放熱量が多くなり設定温度が低いほど放熱量が少なくなる等と推測することができ、その場合の給水判定水位を貯湯タンク３５の中間温度層の増大を抑制できるような値に定めることができる。さらに、設定温度は設定温度受付部１０Ｔが受け付けるため、浴槽７０の放熱量等を把握するための手段を別途あらたに設ける必要がなくなる。
【０１３２】
また、給水判定水位の補正に用いる浴槽７０の放熱量に関する情報の取得は、例えば、タイマ１２に入力される保温期間の長さによって行ってもよい。タイマ１２に設定された保温期間が長ければ長いほど浴槽７０の温水の放熱量が多くなり、保温の際に必要となる熱量が多くなりがちになる。このような場合において、給水判定水位が低めの値になるように補正することで、高温足し湯制御による６０℃等の高温のお湯の浴槽７０への供給量をより多くすることができるとともに、追焚き熱交換器５による加熱量を少なく抑えることができる。
【０１３３】
（Ｃ）
上記実施形態では、給水判定水位が給水判定水位設定受付部１７を介してユーザによって入力される場合を挙げて説明した。
【０１３４】
しかし、例えば、給水判定水位は、上記実施形態の日々の給水判定水位をメモリ１１に履歴として残しておき、このメモリ１１に格納された履歴データから学習して（平均化したり、曜日によって変更したりする等して）メモリ１１に格納された過去の給水判定水位の値に基づいて新たな給水判定水位の値を定めるようにしてもよい。これにより、給水判定水位に対してユーザの使用状況を反映させることが可能になる。
【０１３５】
（Ｄ）
上記実施形態では、給水判定水位が給水判定水位設定受付部１７を介してユーザによって入力される場合を挙げて説明した。
【０１３６】
ここでの給水判定水位は、例えば、浴槽７０について予め定められた複数段階の水位の中から、ユーザいずれかの水位を選択するようにして定まる水位であってもよい。
【０１３７】
この際には、浴槽７０のアダプタ７１の高さ位置を基準として複数の水位を予め定めるようにすることがより好ましい。
【０１３８】
（Ｅ）
上記実施形態では、追炊き熱交換器５が設けられた貯湯式給湯装置１００を挙げて説明した。
【０１３９】
しかし、例えば、図４に示すように、追焚き熱交換器５や追焚き回路４０が設けられておらず、風呂往き管２６１と風呂戻り管２６４とタンク内加熱部２６３とを有する風呂回路２６０を備えた貯湯式給湯装置２００であってもよい。このタンク内加熱部２６３は、上記追焚き熱交換器５と概ね同様の機能を有する。この場合であっても、タンク内加熱部２６４を用いた追焚きでは、貯湯タンク３５の中間温度層が増大してしまうという問題は同様であるため、上記実施形態と同様の効果を奏することができる。
【０１４０】
（Ｆ）
上記実施形態では、風呂循環ポンプ６２を駆動させて浴槽７０からの温水を風呂往き管６１に通過させることにより風呂温度を検知する場合を挙げて説明した。
【０１４１】
しかし、例えば、風呂循環ポンプ６２の停止後、所定時間の間は風呂循環ポンプ６２の停止状態を維持させて、その間に浴槽７０の温水の温度を把握する必要が生じた場合には、コントローラ１０が直近の浴槽７０の温水の検出温度をメモリ１１に格納させておいてこのデータを用いるようにしてもよい。これにより、風呂循環ポンプ６２の発停頻度を少なく抑えることができるとともに、風呂回路６０を循環する際の温水からの放熱量を抑制させることができる。
【０１４２】
なお、この他に、風呂循環ポンプ６２の停止後、所定時間の間は風呂循環ポンプ６２の停止状態を維持させて、その間に浴槽７０の温水の温度を把握する必要が生じた場合には、コントローラ１０が、浴槽７０の温水の温度を設定温度であるとみなして、上記制御を継続させるようにしてもよい。
【０１４３】
（Ｇ）
上記実施形態では、浴槽７０の水位が設定水位以下である場合に、高温足し湯制御が追焚き熱交換制御よりも優先して行われる風呂自動制御が採用された湯式給湯装置１００を挙げて説明した。
【０１４４】
しかし、例えば、浴槽７０を所望の状態にするための制御として、風呂自動運転受付部１５が押された際のお湯をはり後に行われる保温制御中に浴槽７０への温水供給を行う他の制御の機能を有している場合に、この他の制御よりも、高温足し湯制御を優先させるようにしてもよい。これにより、不必要に浴槽７０の水位を上げることなく、高温足し湯制御を行うことができるようになる。
【０１４５】
また、上記実施形態の風呂自動制御におけるステップＳ１６、Ｓ２４における浴槽７０の水位判定の基準となる値は、設定水位に限られるものではなく、例えば、設定水位の近傍の水位や、設定水位よりもわずかに低い水位（５ｃｍ程度低い水位等）や、設定水位よりもわずかに高い水位（５ｃｍ程度高い水位等）や、別途、ユーザが入力して設定する水位や、コントローラ１０が他の設定されている水位等のデータから算出して特定される水位等であってもよい。この場合であっても、このようにして定められる設定水位以外の水位は、上記高温足し湯制御が開始されるための条件である給水判定水位よりも高くなるように設定される。
【産業上の利用可能性】
【０１４６】
本発明は、ヒートポンプユニットの成績係数の低下を抑制させつつ、ユーザの望む水温と水量の状態の浴槽に近づけることが可能なため、特に、貯湯式給湯装置として用いた場合に有用である。
【符号の説明】
【０１４７】
１  ヒートポンプユニット
３  貯湯ユニット
５  追焚き熱交換器（追焚き熱交換部）
１０  コントローラ（制御部）
１０Ｐ  設定水位受付部（浴槽設定水量受付部）
１０Ｔ  設定温度受付部（浴槽設定温度受付部）
１１  メモリ（履歴メモリ）
１２  タイマ（タイマ部）
２３Ｔ  外気温度センサ（放熱把握部）
３５  貯湯タンク
５０      給水給湯回路（温水供給部）
６１Ｐ  風呂温度センサ（浴槽水量検出部）
６１Ｔ  風呂水位センサ（放熱把握部）
７０  浴槽
８２Ｔ  給水温度センサ（放熱把握部）
１００  貯湯式給湯装置
【先行技術文献】
【特許文献】
【０１４８】
【特許文献１】特開２００７−２７１１１９号公報
【特許文献２】特開平５−２６４０９９号公報
【特許文献３】特開２００９−５２７６０号公報
【図１】
2011033272.tif 000003
【図２】
2011033272.tif 000004
【図３】
2011033272.tif 000005
【図４】
2011033272.tif 000006